(57)【要約】【課題】  雨の降る日、濡れた雨傘をもって自動車に乗り込む際、水滴が外部に漏れたり、シートに座ってドアを開いたまま雨傘をたたんだりすると衣服や腕が濡れる。又デパートやスーパ等に濡れた雨傘を持ち込む場合、ビニール袋のカバーを用意して床などが濡れないようにしたりする必要がある。このような濡れた雨傘の不具合を解消する。【解決手段】  傘シート６を保持する親骨４を石突１の方向に折り曲げて、前記傘シート６を前記親骨４とともに反転させて折りたたむ雨傘であって、内部に吸水体７３が収容された筒状のキャップ７に親骨４の先端、傘シート６の一部および石突１を束ねて着脱自在とし、前記キャップ７は石突１方向に折り曲げた親骨８の先端、傘シート６の一部および石突１を共に被冠する雨傘である。【選択図】図１
2008006255.tif 000002
【特許請求の範囲】
【請求項１】
上端に石突を下端にグリップを設けたシャフトに副骨を介して親骨を連結し、前記親骨にて傘シートを保持し前記親骨の中間位置を石突方向に折り曲げて、前記傘シートを前記親骨とともに反転させて折りたたむ雨傘であって、親骨を傘シートと共に石突方向に折り曲げて、内部に吸水体が収容された筒状のキャップに前記親骨の先端と傘シートの一部と石突きとを共に束ねられるように着脱自在としたことを特徴とする雨傘。
【請求項２】
前記キャップを前記グリップに着脱自在としたことを特徴とする請求項１記載の雨傘。
【請求項３】
前記キャップを弾性材で形成したことを特徴とする請求項１または請求項２記載の雨傘。
【請求項４】
前記石突きに発光体を備えたことを特徴とする請求項１乃至請求項３記載のいずれか一つの雨傘。
【発明の詳細な説明】
【技術分野】
【０００１】  本発明は、雨のしずく対策を施した雨傘に関するものである。
【背景技術】
【０００２】  雨の降る日、濡れた雨傘を持って自動車に乗り込む際、シートに座ってドアを開いたまま雨傘をたたんだりすると衣服や腕が濡れる。又、デパートやスーパー等に濡れた雨傘を持ち込む場合、ビニール袋のカバーを用意して床などが濡れないようにする必要がある。このような濡れた雨傘の不具合を解消する雨傘は種々提案されている。【０００３】  特許文献１の反転する洋傘では、石突側方向に傘のシート部分が骨と共に反転して、雨でぬれたシート部分を内側にして畳むものである。しかしながら、この洋傘は使用後、傘布の雨水に濡れた面が内側になるように畳まれるようにする事で、電車、バス等の車内で他人に迷惑が掛からない傘を提供することは可能であるが、傘を横にしたり石突側を逆さにすると溜まった水滴が外へ流れ出るという不具合が残る。【０００４】  特許文献２の改良傘では、リブを軸棒に対してハンドルと反対方向に折畳み可能とし、ハンドルと反対側の軸棒の端部をして折畳み状のリブの末端を越えて延在させ、軸棒のハンドルと反対側の端部に円錐台状のキャップをハンドル側に向けて開口して取り付けて傘から滴下する水滴の受け部を形成させている。傘が折り畳まれた状態においてリブの端部がキャップにより形成される受け部の内側に突出するようにしており、折り畳んだ状態で、覆布から滴下する水滴はキャップにより受けるので、石突側を逆さにしても溜まった水滴が外へ流れ出ないようにして水滴が床上に滴下せず濡らさないようにしている。しかし、傘を横にすると溜まった水滴が外へ流れ出る不具合が解消されておらず、また、接触する衣服の濡れがなくなるようにするために、上記のリブを保護すべく第１の覆布と反対側において第２の覆布をリブに張設しているので、複雑な覆布の構成をしており、リブと軸棒との取り付けも複雑な構成となっている。また、傘を開いて使用時、固定リングからキャップ迄が突出していて長過ぎるため使用しにくく、実用性に欠ける点がある。【０００５】
【特許文献１】特公平８−８８８２号公報
【特許文献２】特開２０００−１６６６２９号公報
【発明の開示】
【発明が解決しようとする課題】
【０００６】  しかしながら、上記特許文献の何れも使用後、傘布の雨水に濡れた面が内側になるように畳まれるようにする事で、濡れた雨傘の不具合を解消しているが、各特許文献１および特許文献２は上述のような不具合が残っている。【０００７】  本発明は、上記問題点を解消し傘シート内に溜まった水滴が外に流れ出ないようにする雨傘を提供することを目的とする。
【課題を解決するための手段】
【０００８】  上記目的を達成するために請求項１に記載の発明は、上端に石突を下端にグリップを設けたシャフトに副骨を介して親骨を連結し、前記親骨にて傘シートを保持し前記親骨の中間位置を石突方向に折り曲げて、前記傘シートを前記親骨とともに反転させて折りたたむ雨傘であって、内部に吸水体が収容された筒状のキャップに前記親骨の先端と傘シートの一部と石突きとを共に束ねられるように着脱自在とし、前記キャップを石突方向に折り曲げた親骨の先端、傘シートの一部および石突を共に被冠したことを特徴とする。【０００９】  また、請求項２に記載の発明は、前記キャップを前記グリップに着脱自在としたことを特徴とする。【００１０】  請求項３に記載の発明は、前記キャップを弾性材で形成したことを特徴とする。【００１１】  また、請求項４に記載の発明は、前記石突きに発光体を備えたことを特徴とする。
【発明の効果】
【００１２】  以上のように本発明の雨傘は、上端に石突を下端にグリップを設けたシャフトに副骨を介して親骨を連結し、前記親骨にて傘シートを保持し前記親骨の中間位置を石突方向に折り曲げて、前記傘シートを前記親骨とともに反転させて折りたたむ雨傘であって、親骨を傘シートとともに石突方向に折り曲げて、グリップに装着されていた吸水体の収容された筒状のキャップに前記親骨の先端と傘シートの一部と石突きとを共に束ねられるように着脱自在とし、傘シート内に溜まった水滴が外に流れ出にくくすることができる。さらに、傘シートを縛る細い布紐が濡れていないので手が濡れずに済み不快感がない。
【発明を実施するための最良の形態】
【００１３】  以下、本発明の実施形態について図面を参照して説明する。【００１４】  図１乃至図５において、シャフト３の上端および下端にそれぞれ石突１およびグリップ２が設けられている。親骨４は前記石突１の近傍であるシャフト３の根元位置４Ａで軸支されており、下方に傾斜した位置（図２）からシャフト３に並行した位置（図４）へ開閉自在となっている。支え桟５は一端がシャフト３に軸支され、他端は中間位置４Ｂで副骨８に支持されている。【００１５】  前記親骨４には上面に傘シート６が所定箇所、例えば根元位置４Ａ、中間位置４Ｂおよび先端位置４Ｃやそれぞれの間の部位にて保持されている。このようにして親骨４を傘シート６共に石突方向に折り曲げて、前記傘シート６を前記親骨４とともに反転させて折りたたむことができる。【００１６】  ７は筒状のキャップであり、シャフト３の上端および下端に着脱できるようになっている。シャフト３の上端では図８に示すように親骨４の先端位置４Ｃと傘シート６の一部と石突１とを共に束ねて着脱できるようになっており、また、シャフト３の下端では図９に示すようにグリップ２に着脱できるようになっている。前記キャップ７は図６および図７に示すように、円筒もしくは角筒状の本体７２の一端７２６にはスポンジで出来た吸水体７３が収容されている。他端７２１は吸水体７３方向に突出した環状の爪７２５を有する開口部７２７が形成されており、前記開口部７２７は大空間室７２２を介して一端７２６側の前記吸水体７３に連通している。前記他端７２１の開口部７２７は図９のようにグリップ２が収まる大きさでかつ図８のように親骨４の先端位置４Ｃと傘シート６の一部と石突１とを共に束ねて収まる大きさである。前記開口部７２７と吸水体７３との間には空間室７３０が設けられており、空間室７３０には吸水体７３の方向に先細りの円錐状となった水滴案内室７２４が設けられている。前記水滴案内室７２４と大空間室７２２との間には小空間室７２３が設けられており、小空間室７２３は石突１が収まる形状となっている。また、前記一端７２３には螺子が形成されており、筒状の栓７１を螺着している。【００１７】  このように筒状のキャップ７をシャフト３の上端すなわち、親骨４の先端位置４Ｃ、傘シート６の一部および石突１に着脱自在とすることにより前記キャップ７は石突１の方向に折り曲げた親骨４の先端と傘シート６の一部と石突１とを共に束ねて被冠する構成で、キャップ７の本体７２の材料は合成樹脂材や金属材でも良いが、シリコンゴム材等で構成すれば、本体７２を収縮させることにより吸水体７３の水を外に排出することができる。【００１８】  更に、石突き１に蛍光材などの発光体（図示せず）を設けておけば、夜間などに見やすく交通安全の表示にも利用できる。【００１９】  傘シート６は複数本の親骨４に留められており、その材料は布材やビニール材などであるが、傘シートの構成としては、図１０のように別の傘シート６１が親骨４の中間位置４Ｂと先端位置４Ｃとの間で石突１と反対側で親骨４に保持されて傘シート６と二重に構成されている。このように親骨４を傘シート６および別の網目状の傘シート６１と共に石突方向に折り曲げて、前記傘シート６および別の傘シ���ト６１を前記親骨４と共に反転させることにより、傘シート６１が傘シート６から浸透してきた水を網目状の傘シート６１の厚みにて雨傘を手に持ったときに肌にふれても濡れにくくすることができる。【００２０】  次に、本発明雨傘の折りたたみ手順について図１乃至図５を参照して説明する。【００２１】  図２において、キャップ７はグリップ２に取付けてあり、雨天時に傘シート６を開いて使用し、その使用後、図３のように支え桟５の一端をグリップ２の方向に押し下げると、支え桟５の他端は根元位置４Ａと中間位置４Ｂとの間で副骨８に支持されているから、傘シート６を保持する親骨４が石突１の方向に折り曲がり、更に、図４のように支え桟５を押し下げて傘シート６を前記親骨４と共に反転させて折りたたみ、続いて、図５のように、キャップ７をグリップ２から取り外して、図１のように、雨傘を折りたたんで閉じた状態にして、親骨４の先端位置４Ｃである先端と傘シート６の一部と石突１とを共に束ねてキャップ７に被冠することにより、傘シート６の外側は雨で濡れておらず、しかも、傘シート６とシャフト３との間に留まった水滴はキャップ７の爪７２５にてキャップ７２２よりスポンジ７３と空間室７３０に流出され、雨傘を横にしても水滴がキャップ７の吸水体７３に吸収される。また、水滴案内室７２４は円錐状もしくはじょうご状になっているので、傘を上下逆転、あるいは、横に倒しても外へ流れ出にくくすることができる。【００２２】  このようにして使用したキャップ７をシャフト３の上端すなわち、親骨４の先端位置４Ｃ、傘シート６の一部を石突１に束ねた状態から取り外して、キャップ７に留まった水滴を除去して、シャフト３の下端すなわちグリップ２に取付けする。（図２および図９参照）
【図面の簡単な説明】
【００２３】
【図１】本発明の雨傘を折りたたんで閉じた状態を示す正面図である。
【図２】本発明の雨傘を開いた状態を示す断面図である。
【図３】本発明の雨傘を折りたたみ始めた状態を示す断面図である。
【図４】本発明の雨傘を更に折りたたんだ状態を示す断面図である。
【図５】本発明の雨傘を折りたたんでキャップをシャフトの上端に着脱させる状態を示す正面図である。
【図６】本発明のキャップを栓と螺着させる状態を示す断面図である。
【図７】本発明のキャップの断面図である。
【図８】本発明のキャップに親骨の先端位置・傘シートの一部・石突を共に収めた状態を示す断面図である。
【図９】本発明のキャップにグリップを取着した状態を示す断面図である。
【図１０】本発明の傘シートの異なる実施例を示すグリップ側からみた底面図である。
【符号の説明】
【００２４】１  石突
２  グリップ
３  シャフト
４  親骨
５  支え桟
６  傘シート
７  キャップ
８  副骨
７３  吸水体
【図１】
2008006255.tif 000003
【図２】
2008006255.tif 000004
【図３】
2008006255.tif 000005
【図４】
2008006255.tif 000006
【図５】
2008006255.tif 000007
【図６】
2008006255.tif 000008
【図７】
2008006255.tif 000009
【図８】
2008006255.tif 000010
【図９】
2008006255.tif 000011
【図１０】
2008006255.tif 000012